【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
幹水管（１）に仕切弁（２）を介し接続されて下流端が止水された既設本管（３）と、その既設本管（３）から各需要家（Ｔ）に引き込まれた引込管（４）とからなる流体輸送配管網における、下記の各工程第１〜第３からなる前記既設本管の更新工法。
記
「第１工程」
更新する既設本管（３）を掘り起こし、上記仕切弁（２）を閉じた後、その仕切弁（２）と既設本管（３）の間に、その既設本管（３）の前記仕切弁（２）側の一部を撤去し、分水栓（１１）を有してその下流側に仕切弁（１２）を介設した管からなる接続ユニット（１０）を介設する。
「第２工程」
上記接続ユニット（１０）の分水栓（１１）に仮設配管（３ｂ）を接続し、その仮設配管（３ｂ）を上記既設本管（３）に沿って布設するとともに、各需要家（Ｔ）の引込管（４）を前記既設本管（３）からその仮設配管（３ｂ）に接続替えする。この作業が終われば、上記幹水管（１）と既設本管（３）の間に介設された仕切弁（２）を開放した状態で仮設配管（３ｂ）に給水して各需要家（Ｔ）に引込管（４）を介して給水可能とする。このとき、仮設配管（３ｂ）は、前記既設本管（３）の撤去用掘削溝（Ｈ５）内、又は、地上で交通の妨げにならない場所に配置し、埋め戻しは行わない。
「第３工程」
上記接続ユニット（１０）の仕切弁（１２）を閉じた状態において、その接続ユニット（１０）より下流の既設本管（３）を新設本管（３ａ）に更新した後、上記各引込管（４）を仮設配管（３ｂ）から新設本管（３ａ）に接続替えするとともに、前記接続ユニット（１０）の仕切弁（１２）を開放して新設本管（３ａ）に通水する。このとき、新設本管（３ａ）の下流端は閉じておく。この後、前記接続ユニット（１０）の分水栓（１１）を閉じた状態で、仮設配管（３ｂ）を撤去するとともに、新設本管（３ａ）を布設した上記掘削溝（Ｈ５）を埋め戻す。
【請求項２】
幹水管（１）に仕切弁（２）を介し接続されて下流端が止水された既設本管（３）と、その既設本管（３）から各需要家（Ｔ）に引き込まれた引込管（４）とからなる流体輸送配管網において、前記既設本管（３）が長くて、前記仕切弁（２）から一定長さ（Ｌ）の工区毎、既設本管（３）を新設本管（３ａ）に更新する場合は、第１工区において、下記の各工程第１〜第４を順に行った後、第２工区以降、下記各工程第１の１、同第２の１、同第３、同第４を各工区において順に繰り返し（但し、第２の１〜第４工程においての下流側接続ユニット（１０−２）が新たな上流側接続ユニット（１０−１）となる。）、その更新する既設本管（３）の工区が既設本管（３）の上記止水された下流端に至ったとき、下記各工程第１の２、同第２の２、同第３の２を順に行うことを特徴とする前記既設本管の更新工法。
記
「第１工程」
更新する既設本管（３）の上記仕切弁（２）から下流側一定長さ（Ｌ）を掘り起こし、前記仕切弁（２）を閉じた後、その仕切弁（２）と既設本管（３）の間に、その既設本管(３）の前記仕切弁（２）側の一部を撤去し、分水栓（１１）を有してその下流側に仕切弁（１２）を介設した管からなる接続ユニット（１０−１）を介設する。
「第２工程」
上記接続ユニット（１０−１）の分水栓（１１）に仮設配管（３ｂ）を接続し、その仮設配管（３ｂ）を上記一定長さ（Ｌ）の既設本管（３）に沿って布設して、各需要家（Ｔ）の引込管（４）を前記既設本管（３）からその仮設配管（３ｂ）に接続替えするとともに、上記更新する既設本管（３）の一定長さ（Ｌ）より下流側の既設本管（３）に前記仮設配管（３ｂ）の下流端を接続する。この作業が終われば、更新する既設本管（３）の前記一定長さ（Ｌ）より下流側であって上記仮設配管（３ｂ）下流端の接続部より上流側を止水（６ａ）した後、上記幹水管（１）と既設本管（３）の間に介設された仕切弁（２）を開放した状態で仮設配管（３ｂ）に給水して各需要家（Ｔ）に引込管（４）を介して給水可能とする。このとき、仮設配管（３ｂ）は、前記既設本管（３）の撤去用掘削溝（Ｈ５）内、又は、地上で交通の妨げにならない場所に配置し、埋め戻しは行わない。前記の止水（６ａ）は仮設配管（３ｂ）下流端を既設本管（３）に接続する前でも良い。
「第３工程」
上記接続ユニット（１０−１）の仕切弁（１２）を閉じた状態で、上記接続ユニット（１０−１）と上記一定長さ（Ｌ）下流端間の既設本管（３）を新設本管（３ａ）に更新するとともに、その新設本管（３ａ）の下流端と上記下流側の止水部（６ａ）の間に前記接続ユニット（１０−１）と同一構成の接続ユニット（１０−２）を介設する。
「第４工程」
上記既設本管（３）を新設本管（３ａ）に更新した後、上記各引込管（４）を仮設配管（３ｂ）から新設本管（３ａ）に接続替えするとともに、上記上流側接続ユニット（１０−１）の仕切弁（１２）を開放して新設本管（３ａ）へ通水する。この後、上記上流側接続ユニット（１０−１）の分水栓（１１）を閉じた状態で、上記仮設配管（３ｂ）を撤去し、新設本管（３ａ）を布設した上記掘削溝（Ｈ５）を、上記下流側接続ユニット（１０−２）の上流端まで埋め戻す。
「第１の１工程」
更新する既設本管（３）の上記下流側接続ユニット（１０−２）から下流側一定長さ（Ｌ）を掘り起こす。
「第２の１工程」
上記下流側接続ユニット（１０−２）の分水栓（１１）に仮設配管（３ｂ）を接続し、その仮設配管（３ｂ）を上記一定長さ（Ｌ）の既設本管（３）に沿って布設して、各需要家（Ｔ）の引込管（４）を前記既設本管（３）からその仮設配管（３ｂ）に接続替えするとともに、上記更新する既設本管（３）の一定長さ（Ｌ）より下流側の既設本管（３）に前記仮設配管（３ｂ）の下流端を接続する。この後、更新する既設本管（３）の前記一定長さ（Ｌ）より下流側であって上記仮設配管（３ｂ）下流端の接続部より上流側を止水（６ａ）した後、上記下流側接続ユニット（１０−２）の分水栓（１１）を開放して、その分水栓（１１）、仮設配管（３ｂ）、引込管（４）を介して各需要家（Ｔ）に給水可能とする。このとき、仮設配管（３ｂ）は、前記既設本管（３）の撤去用掘削溝（Ｈ５）内、又は、地上で交通の妨げにならない場所に配置し、埋め戻しは行わない。前記の止水（６ａ）は仮設配管（３ｂ）下流端を既設本管（３）に接続する前でも良い。
「第１の２工程」
更新する既設本管（３）の上記下流側接続ユニット（１０−２）から既設本管（３）の上記止水された下流端までを掘り起こす。
「第２の２工程」
上記下流側接続ユニット（１０−２）の分水栓（１１）に仮設配管（３ｂ）を接続し、その仮設配管（３ｂ）を上記既設本管（３）の下流端まで沿って布設するとともに、各需要家（Ｔ）の引込管（４）を前記既設本管（３）からその仮設配管（３ｂ）に接続替えする。これらの接続によって、前記分水栓（１１）、仮設配管（３ｂ）、引込管（４）を介して各需要家（Ｔ）に給水可能となる。このとき、仮設配管（３ｂ）は、前記既設本管（３）の撤去用掘削溝（Ｈ５）内、又は、地上で交通の妨げにならない場所に配置し、埋め戻しは行わない。
「第３の２工程」
上記下流側接続ユニット（１０−２）の仕切弁（１２）を閉じた状態で、その下流側接続ユニット（１０−２）より下流の既設本管（３）を新設本管（３ａ）に更新した後、その新設本管（３ａ）の下流端を閉じた状態で、各引込管（４）を仮設配管（３ｂ）から新設本管（３ａ）に接続替えするとともに、前記下流側接続ユニット（１０−２）の仕切弁（１２）を開放して新設本管（３ａ）へ通水する。この後、前記下流側接続ユニット（１０−２）の分水栓（１１）を閉じた状態で仮設配管（３ｂ）を撤去するとともに、新設本管（３ａ）を布設した上記掘削溝（Ｈ５）を埋め戻す。
【請求項３】
２本の幹水管（１ａ、１ｂ）の間に仕切弁（２ａ、２ｂ）をそれぞれ介してその端末が接続され、どちらの幹水管（１ａ、１ｂ）からも送水される既設本管（３）と、その既設本管（３）から各需要家（Ｔ）に引き込まれた引込管（４）とからなる流体輸送配管網における、下記の各工程１〜５からなる前記既設本管の更新工法。
記
「第１工程」
更新する既設本管（３）を掘り起こし、その掘り起こした既設本管（３）の一方の仕切弁（２ａ）より下流側であって上記需要家（Ｔ）の引込管（４）より上流側を止水（６）する。
「第２工程」
上記一方の仕切弁（２ａ）を閉止してその仕切弁（２ａ）と前記止水した止水部（６）の間の既設本管（３）を撤去した後、その一方の仕切弁（２ａ）と前記止水した止水部（６）の間に、分水栓（１１）を有してその下流側に仕切弁（１２）を介設した管からなる接続ユニット（１０）を接続する。
「第３工程」
上記分水栓（１１）に仮設配管（３ｂ）を接続し、その仮設配管（３ｂ）を上記既設本管（３）に沿って布設するとともに、上記各引込管（４）をその仮設配管（３ｂ）に接続する。この作業が終われば、上記接続ユニット（１０）の仕切弁（１２）を閉じた状態、及び上記一方の仕切弁（２ａ）を開放した状態で仮設配管（３ｂ）に給水して各需要家（Ｔ）に引込管（４）を介して給水可能とする。このとき、仮設配管（３ｂ）は、上記既設本管（３）の撤去用掘削溝（Ｈ５）内、又は、地上で交通の妨げにならない場所に配置し、埋め戻しは行わない。
「第４工程」
上記既設本管（３）の他方の仕切弁（２ｂ）を閉じて、上記接続ユニット（１０）と前記他方の仕切弁（２ｂ）の間の既設本管（３）を新設本管（３ａ）に更新する。
「第５工程」
上記既設本管（３）を新設本管（３ａ）に更新した後、上記各引込管（４）を仮設配管（３ｂ）から新設本管（３ａ）に接続替えするとともに、上記他方の仕切弁（２ｂ）と上記接続ユニット（１０）の仕切弁（１２）を開放して新設本管（３ａ）へ通水する。この後、上記接続ユニット（１０）の分水栓（１１）を閉じた状態で、仮設配管（３ｂ）を撤去し、新設本管（３ａ）を布設した上記掘削溝（Ｈ５）を埋め戻す。
【請求項４】
２本の幹水管（１ａ、１ｂ）の間に仕切弁（２ａ、２ｂ）をそれぞれ介してその端末が接続され、どちらの幹水管（１ａ、１ｂ）からも送水される既設本管（３）と、その既設本管（３）から各需要家（Ｔ）に引き込まれた引込管（４）とからなる流体輸送配管網において、前記既設本管（３）が長くて、前記仕切弁の一方（２ａ）から一定長さ（Ｌ）の工区毎、既設本管（３）を新設本管（３ａ）に更新する場合は、第１工区において、下記の各工程１〜５を順に行った後、第２工区以降、下記各工程第１の１、同第３、同第４、同第５の１を各工区において順に繰り返し（但し、工程第３〜第４においては下流側接続ユニット（１０−２）が新たな上流側接続ユニット（１０−１）となる。）、その更新する既設本管（３）の工区が前記仕切弁（２ａ、２ｂ）の他方（２ｂ）に至ったとき、各工程第１の２、同第５の２を順に行うことを特徴とする前記既設本管の更新工法。
記
「第１工程」
更新する既設本管（３）の上記仕切弁（２ａ、２ｂ）の一方（２ａ）から下流側一定長さ（Ｌ）を掘り起こし、その掘り起こした既設本管（３）の前記一方の仕切弁（２ａ）より下流側であって上記需要家（Ｔ）の引込管（４）より上流側を止水（６）する。
「第２工程」
上記一方の仕切弁（２ａ）を閉止してその仕切弁（２ａ）と前記上流側の止水した止水部（６）の間の既設本管（３）を撤去した後、その一方の仕切弁（２ａ）と前記上流側の止水した止水部（６）の間に、分水栓（１１）を有してその下流側に仕切弁（１２）を介設した管からなる接続ユニット（１０−１）を接続する。
「第３工程」
上記接続ユニット（１０−１）の分水栓（１１）に仮設配管（３ｂ）を接続し、その仮設配管（３ｂ）を上記一定長さ（Ｌ）の既設本管（３）に沿って布設するとともに、上記各引込管（４）をその仮設配管（３ｂ）に接続する。このとき、仮設配管（３ｂ）は、上記既設本管（３）の撤去用掘削溝（Ｈ５）内、又は、地上で交通の妨げにならない場所に配置し、埋め戻しは行わない。
「第４工程」
上記一方の仕切弁（２ａ）を開放した状態で仮設配管（３ｂ）を介し各引込管（４）に給水可能とし、更新する既設本管（３）の一定長さ（Ｌ）の下流端を止水（６ａ）した後、上記接続ユニット（１０−１）の仕切弁（１２）を閉じた状態で、前記接続ユニット（１０−１）と前記下流側の止水部（６ａ）の間の既設本管（３）を新設本管（３ａ）に更新する。また、前記新設本管（３ａ）の下流端と前記下流側の止水部（６ａ）の間には前記接続ユニット（１０−１）と同一構成の接続ユニット（１０−２）を介設する。前記止水（６ａ）は、既設本管（３）を新設本管（３ａ）に更新する前であれば何時でも良い。
「第５工程」
上記既設本管（３）を新設本管（３ａ）に更新した後、上記各引込管（４）を仮設配管（３ｂ）から新設本管（３ａ）に接続替えするとともに、上記上流側接続ユニット（１０−１）の仕切弁（１２）を開放して新設本管（３ａ）へ通水する。この後、前記上流側接続ユニット（１０−１）の分水栓（１１）を閉じた状態で仮設配管（３ｂ）を撤去し、新設本管（３ａ）を布設した上記掘削溝（Ｈ５）を、前記下流側接続ユニット（１０−２）の上流端まで埋め戻す。
「第１の１工程」
更新する既設本管（３）の上記下流側接続ユニット（１０−２）から下流側一定長さ（Ｌ）を掘り起こす。
「第５の１工程」
上記既設本管（３）を新設本管（３ａ）に更新した後、上記各引込管（４）を仮設配管（３ｂ）から新設本管（３ａ）に接続替えするとともに、上記下流側接続ユニット（１０−２）の仕切弁（１２）を開放して新設本管（３ａ）へ通水する。この後、上記下流側接続ユニット（１０−２）の分水栓（１１）を閉じた状態で仮設配管（３ｂ）を撤去し、新設本管（３ａ）を布設した上記掘削溝（Ｈ５）を、前記下流側接続ユニット（１０−２）のさらに下流側接続ユニット（１０）の上流端まで埋め戻す。
「第１の２工程」
更新する既設本管（３）の上記さらに下流側接続ユニット（１０）から他方の仕切弁（２ｂ）までを掘り起こし、そのさらに下流側接続ユニット（１０）の分水栓（１１）に仮設配管（３ｂ）を接続し、その仮設配管（３ｂ）を上記既設本管（３）の上記他方の仕切弁（２ｂ）まで沿って布設するとともに、前記各引込管（４）をその仮設配管（３ｂ）に接続して前記分水栓（１１）、仮設配管（３ｂ）、引込管（４）を介して各需要家（Ｔ）に給水可能とする。このとき、仮設配管（３ｂ）は、前記既設本管（３）の撤去用掘削溝（Ｈ５）内、又は、地上で交通の妨げにならない場所に配置し、埋め戻しは行わない。その後、そのさらに下流側接続ユニット（１０）の仕切弁（１２）を閉じた状態で、上記既設本管（３）の他方の仕切弁（２ｂ）を閉じ、前記さらに下流側接続ユニット（１０）と前記他方の仕切弁（２ｂ）の間の既設本管（３）を新設本管（３ａ）に更新する。
「第５の２工程」
上記既設本管（３）を新設本管（３ａ）に更新した後、各引込管（４）を仮設配管（３ｂ）から新設本管（３ａ）に接続替えするとともに、上記さらに下流側接続ユニット（１０）の仕切弁（１２）と上記他方の仕切弁（２ｂ）を開放して新設本管（３ａ）へ通水する。この後、前記さらに下流側接続ユニット（１０）の分水栓（１１）を閉じた状態で仮設配管（３ｂ）を撤去し、新設本管（３ａ）を布設した上記掘削溝（Ｈ５）を前記他方の仕切弁（２ｂ）まで埋め戻す。
【請求項５】
請求項１乃至４の何れか１つに記載の既設本管の更新工法において、上記新設本管（３ａ）の洗浄・殺菌を行う場合は、上記接続ユニット（１０）を２個の分水栓（１１ａ、１１ｂ）を有してその両分水栓（１１ａ、１１ｂ）の間に仕切弁（１２）を介設した管からなるものとし、上記仮設配管（３ｂ）は前記両分水栓（１１ａ、１１ｂ）の上流側分水栓（１１ａ）に接続し、前記既設本管（３）を新設本管（３ａ）に更新後、前記接続ユニット（１０）の下流側分水栓（１１ｂ）から前記新設本管（３ａ）に洗浄・殺菌液（ａ）を注入しその新設本管（３ａ）の下流端から排水して洗浄・殺菌した後、上記引込管（４）の仮設配管（３ｂ）から新設本管（３ａ）の接続替えをするとともに、前記接続ユニット（１０）の両分水栓（１１ａ、１１ｂ）を閉じた状態で前記仮設配管（３ｂ）の撤去に移行することを特徴とする既設本管の更新工法。
【請求項６】
上記接続ユニット（１０）は、分水栓（１１、１１ａ、１１ｂ）及び仕切弁（１２）が予め設けられたものとすることを特徴とする請求項１乃至５の何れかに記載の既設本管の更新工法。